(57)【要約】【課題】住宅設備用品を購入することにより、寄付等を通じて社会に参画できるという満足感をユーザーに与えることが可能な住宅設備製品の抜落し材利用システムを提供する。【解決手段】システムキッチンのカウンター等の住宅設備用品を製造する段階で発生した抜落し材を回収業者に売却しその代金を予め設定した所定の団体に寄付すると共に、製造された住宅設備用品に寄付済み設備用品であることを表示して出荷することを特徴とする。前記代金が見積もり段階で算定されると共に、該見積もり段階で団体が選択され、また前記団体から製造された住宅設備用品を使用するユーザーに所定の報告等がなされる。【選択図】  図３
2008033474.tif 000002
【特許請求の範囲】
【請求項１】
住宅設備用品を製造する段階で発生した抜落し材を回収業者に売却しその代金を予め設定した所定の団体に寄付すると共に、前記製造された住宅設備用品に寄付済み設備用品であることを表示して出荷することを特徴とする住宅設備用品の抜落し材利用システム。
【請求項２】
前記代金は、見積もり段階で算定されると共に、該見積もり段階で前記団体が選択されることを特徴とする請求項１に記載の住宅設備用品の抜落し材利用システム。
【請求項３】
前記団体から製造された住宅設備用品を使用するユーザーに所定の報告がなされることを特徴とする請求項１または２に記載の住宅設備用品の抜落し材利用システム。
【請求項４】
前記表示は、製造された住宅設備用品への刻印もしくはシール、ラベル等の貼付により行われることを特徴とする請求項１ないし３のいずれかに記載の住宅設備用品の抜落し材利用システム。
【請求項５】
前記住宅設備用品は、システムキッチンの所定板厚の金属製のカウンターであることを特徴とする請求項１ないし４のいずれかに記載の住宅設備用品の抜落し材利用システム。
【発明の詳細な説明】
【技術分野】
【０００１】
本発明は、システムキッチンのカウンター抜落し材のように、住宅設備用品を製造する際に発生する抜落し材の利用システムに関する。
【背景技術】
【０００２】
一般的に、システムキッチンのステンレス製のカウンターの場合、ステンレス板をプレス機等によりプレス成型して製造しているが、カウンターの幅やカウンターに取り付けられるシンクの形、大きさ、位置等に様々なバリエーションがあることから、シンク部分を別体として各種バリエーションに対応するようにしている。ところが、このようにシンクをカウンターと別体で製造する場合、カウンターのシンク部分を除去してシンク形状に対応した開口を設ける必要があり、この除去したステンレス板の抜落し材は、従来、回収業者に売却しているが、品質が悪かったり薄かったりするためカウンターのコスト低減等にもあまり役立っていないのが現状である。なお、この種の抜落し材の利用は、公知文献に係わるものではなく、記載すべき参考文献は存在しない。
【発明の開示】
【発明が解決しようとする課題】
【０００３】
しかしながら、このような抜落し材の利用においては、抜落し材がカウンターのコストダウンの材料として使用されているものの、カウンターの使用者となるユーザーにとって、自らが再資源化、資源の有効利用、リサイクル等（以下、これらを総称して再資源化等という）について社会に参画しているという観念を持つことが難しい。そして、材料として板厚の厚いステンレス板や高価格の金属を使用する高級カウンター等のように、比較的富裕層のユーザーに使用される住宅設備用品の場合に、これらの富裕層がコストダウンよりも別の形の価値感や満足感を要求する場合があり、前記抜落し材の利用方法ではこのような要求に応えることが困難である。
【０００４】
本発明は、このような事情に鑑みてなされたもので、その目的は、住宅設備用品を購入することにより、寄付等を通じて社会に参画できるという満足感をユーザーに与えることが可能な住宅設備用品の抜落し材利用システムを提供することにある。
【課題を解決するための手段】
【０００５】
かかる目的を達成すべく、本発明のうち請求項１に記載の発明は、住宅設備用品を製造する段階で発生した抜落し材を回収業者に売却しその代金を予め設定した所定の団体に寄付すると共に、前記製造された住宅設備用品に寄付済み設備用品であることを表示して出荷することを特徴とする。
【０００６】
また、請求項２に記載の発明は、前記代金が、見積もり段階で算定されると共に、該見積もり段階で前記団体が選択されることを特徴とし、請求項３に記載の発明は、前記団体から製造された住宅設備用品を使用するユーザーに所定の報告がなされることを特徴とする。さらに、請求項４に記載の発明は、前記表示が、製造された住宅設備用品への刻印もしくはシール、ラベル等の貼付により行われることを特徴とし、また、請求項５に記載の発明は、前記住宅設備用品が、システムキッチンの所定板厚の金属製のカウンターであることを特徴とする。
【発明の効果】
【０００７】
本発明の請求項１に記載の発明によれば、製造段階で発生した抜落し材を回収業者に売却して得た代金を予め設定した所定の団体に寄付すると共に、製造した住宅設備用品を寄付済み設備用品であることを表示して出荷するため、抜落し材を有効利用しつつ、ユーザーが寄付済みであることが表示された住宅設備用品を購入して使用することにより、ユーザーに寄付等を通じて社会に参画しているという満足感を与えることができる。
【０００８】
また、請求項２に記載の発明によれば、請求項１に記載の発明の効果に加え、代金が見積もり段階で算定されると共に、見積もり段階で団体がユーザー等により選択されるため、寄付等に参画しているというユーザーの満足感をより高めることができる。
【０００９】
また、請求項３に記載の発明によれば、請求項１または２に記載の発明の効果に加え、団体から製造された住宅設備用品を使用するユーザーに所定の報告がなされるため、例えば団体からユーザーに感謝状が送付されることにより、ユーザーの満足感をより一層高めることができる。
【００１０】
さらに、請求項４に記載の発明によれば、請求項１ないし３に記載の発明の効果に加え、表示が製造された住宅設備用品への刻印もしくはシール、ラベル等の貼付により行われるため、各種表示によりユーザーが当該設備用品が寄付済みであること等を確実に認識することができる。
【００１１】
また、請求項５に記載の発明によれば、請求項１ないし４に記載の発明の効果に加え、住宅設備用品がシステムキッチンの所定板厚のステンレスや高価格の金属製のカウンターであるため、高級カウンターの抜落し材を再資源等に効果的に利用できて、富裕層のユーザーの満足感をより一層高めることができる。
【発明を実施するための最良の形態】
【００１２】
以下、本発明の実施の形態を図面に基づいて詳細に説明する。
図１〜図３は、本発明に係わる抜落し材利用システムをシステムキッチンのカウンターに適用した場合の一実施形態を示し、図１がカウンターの斜視図、図２が表示の説明図、図３が抜落し材利用システムの概念図である。
【００１３】
図１に示すように、本発明に係わる住宅設備用品としてのカウンター１は、例えば板厚が比較的厚いステンレス板により成型され、平坦なカウンター面１ａの前端部には下方に所定寸法突出したフランジ部１ｂが形成されると共に、カウンター面１ａの後端部には上方に所定寸法突出したフランジ部１ｃが形成されている。
【００１４】
そして、このカウンター１のシンク設置部分には所定形状の開口２が形成され、この開口２部分に、例えば製造工場あるいはシステムキッチンの施工現場である後述するユーザー１１宅のキッチンにおいて、二点鎖線で示すシンク４が取り付けられるようになっている。なお、カウンター１の開口２の形状は、設置されるシンク４の形状に予め対応しており、また、図１の二点鎖線で示すように、カウンター１にＩＨヒータ（図示せず）等が取り付けられる場合には、カウンター１の所定位置に開口３が形成されるようになっている。
【００１５】
また、カウンター１の例えばカウンター面１ａの左後端部には、表示５が設けられている。この表示５は、当該カウンター１が再資源化対象カウンターであることを示すもので、図２（ａ）に示すように、カウンター面１ａに「エコ製品」という文字の刻印５ａによって設けられている。
【００１６】
なお、カウンター１の表示５は、カウンター面１ａへの刻印５ａに限らず、例えば図２（ｂ）に示すように、再資源製品（もしくはリサイル製品）の文字が印刷されたラベル５ｂ（もしくはシール）をカウンター面１ａに貼付することにより設けることもできる。また、表示５として文字以外に、図２（ｃ）に示すように、例えばエコマーク等の所定のマーク５ｃが付与されたシールもしくはマーク５ｃのカウンター面への印刷等を使用することもでき、さらに、表示５の位置もユーザーに視認されるカウンター面１ａに限らず、カウンター１の裏面の適宜位置にユーザーに容易に視認されない状態で設けられることも可能である。
【００１７】
そして、このようなカウンター１の製造時に発生する抜落し材６は、図３に示すようにして利用される。すなわち、先ず、製造・販売会社１０においては、システムキッチンを購入するユーザー１１との見積もり段階の打ち合わせ時に、シンク４の形状等に応じた抜落し材６の金額を算定すると共に、算定した金額を寄付する団体１３をユーザー１２に選択してもらう。この時、寄付する団体１３は、製造・販売会社１０において予め複数団体設定されており、この中からユーザー１１の選択により例えば一つの団体１３が決定されることになる。
【００１８】
このようにして製造・販売会社１０とユーザー１１との間で売買契約が成立すると、製造・販売会社１０は、見積もり仕様に基づいて、所定板厚のステンレス板のプレス加工等によりカウンター１を製造し、このカウンター１の所定位置にシンク４の形状やＩＨヒータ等に対応した前記開口２、３を打ち抜き加工する。そして、この打ち抜き加工によりカウンター１から切り取られた開口２、３形状に対応した抜落し材６が、図３の矢印イの如く製造・販売会社１１から回収業者１２に売却されて、その代金が矢印ロの如く製造・販売会社１０の例えば管理部に入金される。この時の入金は、１回の売却毎に入金されるが、例えば週単位や月単位等でまとめて入金するようにしても良い。
【００１９】
そして、製造・販売会社１０の管理部は、回収業者１２から受け取った代金を、図３の矢印ハの如く見積もり段階でユーザー１１が選択した団体１３に、例えば月単位毎に寄付すると共に、製造・販売会社１０で製造した当該カウンター１に表示５をし、この表示付きカウンター１を図３の矢印ニの如くユーザー１１（施工現場）に向けて出荷する。そして、この表示付きのカウンター１が施工現場でシンク４と共に設置され、このカウンター１を有するシステムキッチンをユーザー１１が使用する際に、カウンター面１ａの表示５により寄付等に参画していることが実感できることになる。
【００２０】
また一方、製造・販売会社１０から寄付を受けた団体１３は、図３の矢印ヘの如く、ユーザー１１に寄付に対する感謝状１４を送付する。この感謝状１４によりユーザー１１は再資源等において社会に参画していることをより確実に実感できることになる。つまり、前記利用システムの場合、ユーザー１１の要望に応じて、製造・販売会社１０で発生する抜落し材６の売却による代金を、カウンター１のコストに反映するのではなく、団体１３に寄付することによりユーザー１１にとって社会へ参画しているという感覚が得られることになる。
【００２１】
このように、上記実施形態の利用システムにあっては、製造段階で発生したカウンター１の抜落し材６を回収業者１２に売却して得た代金を予め設定した所定の団体１３に寄付すると共に、製造したカウンター１に所定の表示５をして出荷するため、抜落し材６を有効利用しつつ、ユーザー１１が寄付済みであることが表示されたカウンター１を購入して使用することにより、ユーザー１１に再資源化等を通じて社会に参画しているという満足感を与えることができる。特に、住宅設備用品としてのシステムキッチンの人工大理石製もしくは所定板厚のステンレス製のカウンター１に適用することにより、高級カウンターの抜落し材６を再資源等に効果的に利用できて、例えば富裕層のユーザー１１の満足感をより一層高めることができる。
【００２２】
また、抜落し材６の代金が見積もり段階で算定され、この見積もり段階で寄付する団体１３がユーザー１１等により選択されると共に、寄付した団体１３からカウンター１を使用するユーザー１１に感謝状１４が送付されるため、再資源化等に参画しているというユーザー１１の満足感をより高めることができる。さらに、表示５がカウンター１への刻印５ａもしくはラベル５ｂやシールの貼付等により行われるため、各種表示５によりユーザー１１が当該カウンター１が寄付済みカウンターであることを確実に認識することができると共に、例えば刻印５ａをカウンター１の裏面にして視認し難くしたり、剥がしが可能なラベル５ｂやシールを使用することにより、不要となったラベル５ｂ等を取り外すことができて、ユーザー１１の意図により表示５を他人に視認され難くすること等ができる。
【００２３】
なお、本発明は上記した実施形態に限定さず、例えば次のような変形例も包含することができる。すなわち、見積もり段階での代金の算定や団体１３の選択の代わりに、製造・販売会社１０で予め定めた金額を使用したり所定の団体１３を指定することもできるし、見積書の中に寄付の内容（金額及び団体１３等）を明記することもできる。また、寄付する団体１３は一団体が好ましいが、金額が嵩む場合には複数の団体１３に分割して寄付しても良いし、カウンター１への表示５を、例えば寄付する金額に応じてラベル５ｂやマーク５ｃ入りのシールの数を増減すること等もできる。さらに、団体１３からユーザー１１への報告は、感謝状１４に限らず、適宜の報告書や製造・販売会社１０への報告あるいは社会への開示等の適宜の報告手段を採用することができる。
【産業上の利用可能性】
【００２４】
本発明は、システムキッチンのステンレスや高価格の金属製のカウンターへの適用に限らず、システムキッチンのカウンター以外の抜落し材や、他の全ての住宅設備用品の抜落し材にも適用できる。
【図面の簡単な説明】
【００２５】
【図１】本発明に係わる抜落し材利用システムを適用したカウンターの斜視図
【図２】同その表示状態の説明図
【図３】同抜落し材利用システムの概念図
【符号の説明】
【００２６】
１・・・カウンター、１ａ・・・カウンター面、２、３・・・開口、４・・・シンク、５・・・表示、５ａ・・・刻印、５ｂ・・・ラベル、５ｃ・・・マーク、６・・・抜落し材、１０・・・製造・販売会社、１１・・・ユーザー、１２・・・回収業者、１４・・・団体、１４・・・感謝状。
【図１】
2008033474.tif 000003
【図２】
2008033474.tif 000004
【図３】
2008033474.tif 000005